(57)【要約】【課題】ロードされているが選択実行することができないインストール可能なＩＣカードアプリケーションコードに関する情報を格納、出力するＩＣカード等を提供する。【解決手段】ＩＣカード１１の発行時、ＩＣカード発行機９はＩＣカード１１のメモリ４７にインストール可能ＩＣカードアプリケーションコード６１をロードし、また、ロードしたインストール可能ＩＣカードアプリケーションコード６１それぞれに関連付けられたインストール可能ＩＣカードアプリケーションコード関連情報６３をＩＣコード１１に書き込む。ＩＣカード所有者は、ＩＣカード１１を搭載した携帯電話機３を用いて、インストール可能ＩＣカードアプリケーションコード６１の一覧や情報を閲覧し、インストールする。【選択図】図１
2007206893.tif 000002
【特許請求の範囲】
【請求項１】
端末に搭載されるＩＣカードであって、
前記ＩＣカードは、
ロードされているが選択実行できないインストール可能なＩＣカードアプリケーションコードを格納するインストール可能ＩＣカードアプリケーションコード格納手段と、
前記ロードされているが選択実行できないインストール可能なＩＣカードアプリケーションコードに関連付けられた情報を格納するインストール可能ＩＣカードアプリケーションコード関連情報格納手段と、
前記ロードされているが選択実行できないインストール可能なＩＣカードアプリケーションコードに関連付けられた情報を出力するインストール可能ＩＣカードアプリケーション関連情報出力手段と、
を有し、
前記ロードされているが選択実行できないインストール可能なＩＣカードアプリケーションコードに関連付けられた情報は、可読性を有することを特徴とするＩＣカード。
【請求項２】
前記ロードされているが選択実行できないインストール可能なＩＣカードアプリケーションコードに関連付けられた情報は、インストールするＩＣカードアプリケーションコードに対応したサービスの名称、ロードされているが選択実行できないインストール可能なＩＣカードアプリケーションコードのインストールを実行するインストールサーバのＵＲＬ、サービス申し込み受け付け電話番号等であることを特徴とする請求項１記載のＩＣカード。
【請求項３】
前記ロードされているが選択実行できないインストール可能なＩＣカードアプリケーションコードを、前記インストールサーバが前記ＩＣカードにインストールする際に、前記インストールサーバにて利用可能な情報を格納するインストールサーバ情報格納手段と、
前記インストールサーバにて利用可能な情報を出力するインストールサーバ情報出力手段と、
を更に有することを特徴とする請求項１記載のＩＣカード。
【請求項４】
端末に搭載されるＩＣカードと、インストールサーバがネットワークを介して接続されるインストールシステムであって、
前記ＩＣカードは、
前記ロードされているが選択実行できないインストール可能なＩＣカードアプリケーションコードを格納する手段と、
前記ロードされているが選択実行できないインストール可能なＩＣカードアプリケーションコードに関連付けられた情報を格納、出力する手段と、
前記ロードされているが選択実行できないインストール可能なＩＣカードアプリケーションコードを前記インストールサーバが前記ＩＣカードにインストールする際に、前記インストールサーバにて利用可能な情報を格納、出力する手段と、
を有し、
前記端末は、
前記ロードされているが選択実行できないインストール可能なＩＣカードアプリケーションコードに関連付けられた情報を表示する手段と、
前記インストールサーバにて利用可能な情報を前記インストールサーバに送る手段と、
を具備し、
前記インストールサーバは、
前記インストールサーバにて利用可能な情報を用いて、前記ＩＣカードを認証する手段と、
認証が成功すると、インストールコマンドを前記ＩＣカードに送る手段と、
を有し、
前記ＩＣカードは、
前記インストールコマンドを用いて、前記ロードされているが選択実行できないインストール可能なＩＣカードアプリケーションコードをインストールする手段と、
を具備することを特徴とするインストールシステム。
【請求項５】
インストールサーバとネットワークを介して接続される端末に搭載されるＩＣカードであって、
前記ＩＣカードは、
前記ロードされているが選択実行できないインストール可能なＩＣカードアプリケーションコードを格納する手段と、
前記ロードされているが選択実行できないインストール可能なＩＣカードアプリケーションコードに関連付けられた情報を格納、出力する手段と、
前記ロードされているが選択実行できないインストール可能なＩＣカードアプリケーションコードを前記インストールサーバが前記ＩＣカードにインストールする際に、前記インストールサーバにて利用可能な情報を格納、出力する手段と、
前記インストールサーバにて利用可能な情報を受信した前記インストールサーバとの間で認証を実行する手段と、
前記インストールサーバから送られるインストールコマンドを用いて、前記ロードされているが選択実行できないインストール可能なＩＣカードアプリケーションコードをインストールする手段と、
を具備することを特徴とするＩＣカード。
【請求項６】
ＩＣカードを、請求項１記載のＩＣカードとして機能させるプログラム。
【請求項７】
ＩＣカードを、請求項２記載のＩＣカードとして機能させるプログラム。
【請求項８】
ＩＣカードを、請求項３記載のＩＣカードとして機能させるプログラム。
【請求項９】
ＩＣカードを、請求項５記載のＩＣカードとして機能させるプログラム。
【発明の詳細な説明】
【技術分野】
【０００１】
本発明は、ロードされているが選択実行できないＩＣカードアプリケーションコードに関連付けられた情報を格納、出力するＩＣカード及びインストールシステム等に関する。
【背景技術】
【０００２】
携帯電話機のような携帯端末に搭載されるＵＩＭ（Ｕｓｅｒ  Ｉｄｅｎｔｉｔｙ  Ｍｏｄｕｌｅ）カードのようなＩＣカードのメモリ領域には、ロードされているが選択実行することができないインストール可能なＩＣカードアプリケーションコードが格納される場合がある。
そのような場合、ＩＣカード所有者が、ＩＣカード発行者が配布している取り扱い説明書、ＩＣカード発行者が運用するＷｅｂサイト、ＩＣカード発行者が運用するカスタマーセンタ等の情報源より、ＩＣカード所有者自身が保有するＩＣカード上に格納されているロードされているが選択実行することができないインストール可能なＩＣカードアプリケーションコードに関する情報を取得した後、携帯端末経由で申込受付サイトに接続したり、申込受付センタに申込書を郵送したり、申込受付センタ等に電話したりしてサービスへの申し込みを実施し、その後所定の手続きにより、ロードされているが選択実行することができないインストール可能なＩＣカードアプリケーションコードをＩＣカードにインストールするという手順を採用するのが一般的であった。
上記の一般的な手順においては、非特許文献１、非特許文献２、非特許文献３に記載されているｄｉｒｅｃｔｏｒｙ  ｆｉｌｅ、Ａｐｐｌｉｃａｔｉｏｎ  ｉｄｅｎｔｉｆｉｅｒ、Ａｐｐｌｉｃａｔｉｏｎ  ｌａｂｅｌ等を利用してインストール済みの選択実行可能なＩＣカードアプリケーションに関する情報をＩＣカードから出力させたり、非特許文献４に記載されているライフサイクル管理の仕組み、ＧＥＴ  ＳＴＡＴＵＳコマンドを利用してロードされているが選択実行することができないインストール可能なＩＣカードアプリケーションコードのＡＩＤ、Ｌｉｆｅ  Ｃｙｃｌｅ  Ｓｔａｔｅ、Ａｐｐｌｉｃａｔｉｏｎ  Ｐｒｉｖｉｌｅｇｅｓ等の情報をＩＣカードに出力させたりすることができる。
【０００３】
【非特許文献１】Ｉｄｅｎｔｉｆｉｃａｔｉｏｎ  ｃａｒｄｓ−Ｉｎｔｅｇｒａｔｅｄｃｉｒｃｕｉｔ（ｓ）  ｃａｒｄ  ｗｉｔｈ  ｃｏｎｔａｃｔｓ−Ｐａｒｔ４：Ｉｎｔｅｒｉｎｄｕｓｔｒｙ  ｃｏｍｍａｎｄｓ  ｆｏｒ  ｉｎｔｅｒｃｈａｎｇｅ、ＩＳＯ／ＩＥＣ  ７８１６−４：１９９５（Ｅ）、１９９５年９月１日、３．８章
【非特許文献２】Ｉｄｅｎｔｉｆｉｃａｔｉｏｎ  ｃａｒｄｓ−Ｉｎｔｅｇｒａｔｅｄｃｉｒｃｕｉｔ（ｓ）  ｃａｒｄ  ｗｉｔｈ  ｃｏｎｔａｃｔｓ−Ｐａｒｔ５：Ｎｕｍｂｅｒｉｎｇ  ｓｙｓｔｅｍ  ａｎｄ  ｒｅｇｉｓｔｒａｔｉｏｎ  ｐｒｏｃｅｄｕｒｅ  ｆｏｒ  ａｐｐｌｉｃａｔｉｏｎ  ｉｄｅｎｔｉｆｉｅｒｓ、ＩＳＯ／ＩＥＣ  ７８１６−５：１９９４（Ｅ）、１９９４年６月１５日、３．１．１章、３．１．３章、３．１．８章、５．２章、５．３．１章
【非特許文献３】Ｉｄｅｎｔｉｆｉｃａｔｉｏｎ  ｃａｒｄｓ−Ｉｎｔｅｇｒａｔｅｄｃｉｒｃｕｉｔ（ｓ）  ｃａｒｄ  ｗｉｔｈ  ｃｏｎｔａｃｔｓ−Ｐａｒｔ４：Ｏｒｇａｎｉｚａｔｉｏｎ，Ｓｅｃｕｒｉｔｙ  ａｎｄｃｏｍｍａｎｄｓ  ｆｏｒ  ｉｎｔｅｒｃｈａｎｇｅ、ＩＳＯ／ＩＥＣ  ７８１６−４：２００５（Ｅ）、２００５年１月１５日、３．１８章、８．１．１．２．２章、８．２．１．１章、８．２．１．章、８．２．１．４章、ＡｎｎｅｘＤ章
【非特許文献４】ＧｌｏｂａｌＰｌａｔｆｏｒｍ  Ｃａｒｄ  Ｓｐｅｃｉｆｉｃａｔｉｏｎ、米国、２００３年３月、５章、９．４章
【発明の開示】
【発明が解決しようとする課題】
【０００４】
しかしながら、非特許文献１、非特許文献２、非特許文献３に記載されている方法では、ＩＣカード所有者はＩＣカードを搭載した携帯端末を通して、ＩＣカードにインストール済みで選択実行可能なＩＣカードアプリケーションに関する情報を取得することはできるが、ロードされているが選択実行することができないインストール可能なＩＣカードアプリケーションコードに関連付けられた情報を取得することができない。
また、非特許文献４に記載されている方法では、カード発行会社等が鍵を利用した認証手順を実行して、ＩＣカードにロードされているが選択実行することができないインストール可能なＩＣカードアプリケーションの情報を取得することもできるが、ＩＣカード所有者の携帯端末にＧＥＴ  ＳＴＡＴＵＳコマンドを実行する前に必要となる認証用の秘密情報を格納しておく必要があるため、実際の利用には適さない。
【０００５】
このため、ＩＣカード所有者は、ＩＣカード発行者が配布している取り扱い説明書、ＩＣカード発行者が運用するＷｅｂサイト、ＩＣカード発行者が運用するカスタマーセンタ等の情報源よりＩＣカード所有者自身が保有するＩＣカード上のロードされているが選択実行することができないインストール可能なＩＣカードアプリケーションコードに関する情報を取得した後、携帯端末経由で申込受付サイトに接続したり、申込受付センタに申込書を郵送したり、申込受付センタ等に電話したりしてサービスへの申し込みを実施し、その後所定の手続きにより、ロードされているが選択実行することができないインストール可能なＩＣカードアプリケーションコードをＩＣカードにインストールする必要があった。
また、ＩＣカード発行会社側でも、発行したＩＣカードにロードされているが選択実行することができないインストール可能なＩＣカードアプリケーションコードに関する情報等を管理するためのＩＣカード管理システムが必要であった。
【０００６】
本発明は、このような問題に鑑みてなされたもので、その目的とするところは、ＩＣカードアプリケーションコードに関する情報を格納、出力するＩＣカード等を提供することにある。
【課題を解決するための手段】
【０００７】
前述した目的を達成するために第１の発明は、端末に搭載されるＩＣカードであって、前記ＩＣカードは、ロードされているが選択実行できないインストール可能なＩＣカードアプリケーションコードを格納するインストール可能ＩＣカードアプリケーションコード格納手段と、前記ロードされているが選択実行できないインストール可能なＩＣカードアプリケーションコードに関連付けられた情報を格納するインストール可能ＩＣカードアプリケーションコード関連情報格納手段と、前記ロードされているが選択実行できないインストール可能なＩＣカードアプリケーションコードに関連付けられた情報を出力するインストール可能ＩＣカードアプリケーション関連情報出力手段と、を有し、前記ロードされているが選択実行できないインストール可能なＩＣカードアプリケーションコードに関連付けられた情報は、可読性を有することを特徴とするＩＣカードである。
【０００８】
ＩＣカードに格納されているインストール可能ＩＣカードアプリケーションコード関連情報は、インストールするＩＣカードアプリケーションコードに対応したサービスの名称、ロードされているが選択実行できないインストール可能なＩＣカードアプリケーションコードのインストールを実行するインストールサーバのＵＲＬ、サービス申し込み受け付け電話番号等である。
ＩＣカードは、インストールサーバがＩＣカード上のロードされているが選択実行できないインストール可能なＩＣカードアプリケーションコードをＩＣカードにインストールするため、インストールサーバにて利用可能な情報を格納しており、携帯電話機のような携帯端末を介してそれらの情報をサーバに送信する。
【０００９】
第２の発明は、端末に搭載されるＩＣカードと、インストールサーバがネットワークを介して接続されるインストールシステムであって、前記ＩＣカードは、前記ロードされているが選択実行できないインストール可能なＩＣカードアプリケーションコードを格納する手段と、前記ロードされているが選択実行できないインストール可能なＩＣカードアプリケーションコードに関連付けられた情報を格納、出力する手段と、前記ロードされているが選択実行できないインストール可能なＩＣカードアプリケーションコードを前記インストールサーバが前記ＩＣカードにインストールする際に、前記インストールサーバにて利用可能な情報を格納、出力する手段と、を有し、前記端末は、前記ロードされているが選択実行できないインストール可能なＩＣカードアプリケーションコードに関連付けられた情報を表示する手段と、前記インストールサーバにて利用可能な情報を前記インストールサーバに送る手段と、を具備し、前記インストールサーバは、前記インストールサーバにて利用可能な情報を用いて、前記ＩＣカードを認証する手段と、認証が成功すると、インストールコマンドを前記ＩＣカードに送る手段と、を有し、前記ＩＣカードは、前記インストールコマンドを用いて、前記ロードされているが選択実行できないインストール可能なＩＣカードアプリケーションコードをインストールする手段と、を具備することを特徴とするインストールシステムである。
【００１０】
第３の発明は、インストールサーバとネットワークを介して接続される端末に搭載されるＩＣカードであって、前記ＩＣカードは、前記ロードされているが選択実行できないインストール可能なＩＣカードアプリケーションコードを格納する手段と、前記ロードされているが選択実行できないインストール可能なＩＣカードアプリケーションコードに関連付けられた情報を格納、出力する手段と、前記ロードされているが選択実行できないインストール可能なＩＣカードアプリケーションコードを前記インストールサーバが前記ＩＣカードにインストールする際に、前記インストールサーバにて利用可能な情報を格納、出力する手段と、前記インストールサーバにて利用可能な情報を受信した前記インストールサーバとの間で認証を実行する手段と、前記インストールサーバから送られるインストールコマンドを用いて、前記ロードされているが選択実行できないインストール可能なＩＣカードアプリケーションコードをインストールする手段と、を具備することを特徴とするＩＣカードである。
【００１１】
第４の発明は、ＩＣカードを、第１の発明のＩＣカードとして機能させるプログラムである。
第５の発明は、ＩＣカードを、第３の発明のＩＣカードとして機能させるプログラムである。
【発明の効果】
【００１２】
本発明によれば、ロードされているが選択実行できないＩＣカードアプリケーションコードに関する情報を格納、出力するＩＣカード等を提供することができる。
【発明を実施するための最良の形態】
【００１３】
以下、添付図面を参照しながら、本発明に係る好適な実施形態について詳細に説明する。
【００１４】
最初に、図１、２、３を参照しながら、本実施の形態に係るインストールシステムＡについて説明する。
図１は、インストールシステムＡの構成概略を示す図、図２は、携帯電話機３のハードウエア構成図、図３は、インストールサーバ１３のハードウエア構成図である。
【００１５】
インストールシステムＡは、携帯電話機３とインストールサーバ１３とがネットワーク１９を介して接続される。携帯電話機３はＩＣカード１１を搭載し、インストールサーバ１３は、データベース１５を有する。
【００１６】
ＩＣカード１１は、携帯電話機３やＰＤＡ（Ｐｅｒｓｏｎａｌ  Ｄｉｇｉｔａｌ  Ａｓｓｉｓｔａｎｃｅ）のような携帯可能な通信端末に搭載される取り外し可能な記録媒体で、第２世代携帯電話機であるＧＳＭに搭載されていたＳＩＭ（Ｓｕｂｓｃｒｉｂｅｒ  Ｉｄｅｎｔｉｔｙ  Ｍｏｄｕｌｅ）カードや、第３世代携帯電話機に搭載されているＵＩＭカードが知られている。
ＩＣカード１１は、大きさが１５×２５ｍｍ、厚さ８ｍｍ程度の小型ＩＣカードである。
ＩＣカード１１は、携帯電話機３の側面に設けられた挿入口（図示しない）、あるいは、携帯電話機３の裏側の蓋を開いたバッテリー（図示しない）の内側又は外側の所定の凹部に固定される。
【００１７】
ＩＣカード発行機９は、ＩＣカード発行会社等に設置される。ＩＣカード発行機９を用いてＩＣカード１１のメモリにＩＣカードアプリケーションコードをロードしたり、ロードされたＩＣカードアプリケーションコードそれぞれにＩＣカード所有者向けの情報、インストールサーバ向けの情報等の関連する情報を書き込む。
【００１８】
携帯電話機３は、送受信するためのアンテナ４、液晶表示パネル５、キーボタン６等を有し、取り外し可能な記録媒体であるＩＣカード１１を搭載している。
携帯電話機３に搭載されているＩＣカード１１にロードされているＩＣカードアプリケーションコードに関連付けられた情報は、液晶表示パネル５上に表示する。
【００１９】
図２に示すように、携帯電話機３は、制御部２１、無線通信部２３、表示部２５、入力部２７、通話処理部２９、メモリ３１、ＩＣカードインタフェース３３等がバス３５を介して接続される。
【００２０】
制御部２１は、プログラムの実行を行うＣＰＵ（Ｃｅｎｔｒａｌ  Ｐｒｏｃｅｓｓｉｎｇ  Ｕｎｉｔ）と、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等のメモリから構成される。制御部２１は、携帯電話機３全体を制御する。
【００２１】
無線通信部２３はアンテナ４を有し、基地局（図示しない）との間で行われる無線通信を制御する。無線通信部２３は、制御部２１の制御の下、音声に関するデータやパケット通信用のデータ等の信号を生成し、アンテナ４を介して基地局に送信したり、あるいは、基地局から送信される無線信号をアンテナ４を介して受信したり、受信した信号を復調して音声に関するデータやパケット通信用のデータを取得したりする。
【００２２】
表示部２５は液晶表示パネル５を有し、液晶表示パネル５への表示制御を行う。
入力部２７は、数字や文字、操作指示を入力するためのキーボタン６を有し、キーボタン６の操作に応じた信号を制御部２１に出力する。
通話処理部２９は、マイクロフォンやスピーカ、音声処理部等を有し、制御部２１の制御により呼接続、切断処理を含む通話処理を行う。
メモリ３１は、携帯電話機３にインストールされているアプリケーションプログラムや、電話番号及びメールアドレス等のアドレス帳データ等が格納されている。
ＩＣカードインタフェース３３は、携帯電話機３に搭載されたＩＣカード１１と携帯電話機３との間の通信を制御する。
【００２３】
インストールサーバ１３は、インターネット等のネットワーク１９を介して携帯電話機３と接続されるサーバで、携帯電話機３に搭載しているＩＣカード１１にロードされているが選択実行できないインストール可能なＩＣカードアプリケーションコードをインストールする。
【００２４】
図３に示すように、インストールサーバ１３は、制御部８１、入力部８３、表示部８５、印刷部８７、記憶装置８９、メディア入出力部９１、通信制御部９３がバス９５を介して接続される。
【００２５】
制御部８１は、プログラムの実行を行うＣＰＵと、プログラム命令あるいはデータ等を格納するためのＲＯＭ、ＲＡＭ等のメモリから構成される。制御部８１は、記憶装置８９に格納されたプログラムに従って、インストールサーバ１３全体の動作を制御する。
【００２６】
入力部８３は、キーボード、マウス等の入力装置である。
表示部８５は、ＣＲＴ(Ｃａｔｈｏｄｅ  Ｒａｙ  Ｔｕｂｅ)あるいはＬＣＤ(Ｌｉｑｕｉｄ  Ｃｒｙｓｔａｌ  Ｄｉｓｐｌａｙ)等の表示装置である。
印刷部８７プリンタで、ユーザからの要求により必要な情報等の印刷を行う。
【００２７】
記憶装置８９は、インストールサーバ１３の動作に必要となるプログラム、データ等を保存している
【００２８】
メディア入出力部９１は、ＣＤ−ＲＯＭ(Ｃｏｍｐａｃｔ  Ｄｉｓｃ  Ｒｅａｄ  Ｏｎｌｙ  Ｍｅｍｏｒｙ)あるいはＣＤ−ＲＷ(Ｃｏｍｐａｃｔ  Ｄｉｓｃ−ＲｅＷｒｉｔａｂｌｅ)、フレキシブルディスク、ＭＯ(Ｍａｇｎｅｔｏ  Ｏｐｔｉｃ  Ｄｉｓｃ)等の媒体のドライブで、媒体からのデータの読み出し、媒体へのデータの書き込みを行う。
【００２９】
通信制御部９３は、通信制御装置、通信ポート等であり、ネットワーク１９を介したインストールサーバ１３、携帯電話機３間の通信を制御する。
【００３０】
インストールサーバ１３は、インストール用秘密情報１６を格納するデータベース１５を有する。
インストール用秘密情報１６は、ＩＣカード１１にロードされているが選択実行できないインストール可能なＩＣカードアプリケーションコードをＩＣカード１１にインストールする際に必要となる暗号鍵である。
【００３１】
次に、図４、５、６を参照しながら、ＩＣカード１１について説明する。図４は、ＩＣカード１１のハードウエア構成図、図５は、ＩＣカード１１のメモリ４７の詳細を示す図、図６は、メモリ４７内のインストール可能ＩＣカードアプリケーションコード関連情報６３の一例を示す図である。
【００３２】
図４に示すように、ＩＣカード１１は、ＣＰＵ４１、ＲＯＭ４３、ＲＡＭ４５、メモリ４７がバス４９を介して接続される。
【００３３】
ＣＰＵ４１は、プログラムの実行を行う。ＲＯＭ４３は、プログラム命令あるいはデータ等を格納する。ＲＡＭ４５は、プログラムの実行中、一時的にデータ等を格納する。
【００３４】
メモリ４７は、ＩＣカード１１の動作に必要となるデータ等を保存している。
図５に示すように、メモリ４７は、ＩＣカードシリアル番号５１、加入者識別情報５３、インストール用秘密情報５７、インストールサーバ向け情報５９、インストール可能ＩＣカードアプリケーションコード６１、インストール可能ＩＣカードアプリケーションコード関連情報６３、選択実行可能ＩＣカードアプリケーション６５、選択実行可能ＩＣカードアプリケーション関連情報６７等を有する。
【００３５】
ＩＣカードシリアル番号５１は、ＩＣカード１１に対して一意的に付けられるシリアル番号で、ＩＣカード１１の発行時、ＩＣカード発行機９がＩＣカードのメモリ４７に書き込む。
【００３６】
加入者識別情報５３は、ネットワークがＩＣカード１１を識別するために利用する情報で、携帯電話サービス契約時、販売店等でＩＣカード１１のメモリ４７に書き込まれる。
【００３７】
インストール用秘密情報５７は、ロードされているインストール可能ＩＣカードアプリケーションコード６１をＩＣカード１１にインストールする際、インストールサーバ１３との通信の安全性を確保するため、必要となる暗号鍵等である。ＩＣカード１１は、それぞれ異なる一意的なインストール用秘密情報５７を有する。
【００３８】
インストール可能ＩＣカードアプリケーションコード６１は、ＩＣカード１１にインストールして選択実行することができるＩＣカードアプリケーションのコードで、例えばコードＡ、コードＢ、コードＣ、・・・・、コードＸ等がある。
【００３９】
インストール可能ＩＣカードアプリケーションコード関連情報６３は、インストール可能ＩＣカードアプリケーションコード６１それぞれに関連付けられた可読性のある情報で、コードＡ関連情報、コードＢ関連情報、コードＣ関連情報、・・・・、コードＸ関連情報は、それぞれインストール可能ＩＣカードアプリケーションコード６１のコードＡ、コードＢ、コードＣ、・・・・、コードＸに対応している。
インストールサーバ向け情報５９は、インストール可能ＩＣカードアプリケーションコード６１をＩＣカード１１にインストールするためにインストールサーバ１３で必要となる情報で、暗号鍵の鍵バージョン番号、インストールすべきインストール可能ＩＣカードアプリケーションコード６１のＡＩＤ、インストール後の選択実行可能ＩＣカードアプリケーション６５に割り当てるＡＩＤ及びアプリケーション権限等を含む。インストールサーバ向け情報５９は、インストール可能ＩＣカードアプリケーションコード６１それぞれに関連付けられた情報で、コードＡ関連インストールサーバ向け情報、コードＢ関連インストールサーバ向け情報、コードＣ関連インストールサーバ向け情報、・・・・、コードＸ関連インストールサーバ向け情報は、それぞれインストール可能ＩＣカードアプリケーションコード６１のコードＡ、コードＢ、コードＣ、・・・・、コードＸに対応している。
【００４０】
図６に示すように、インストール可能ＩＣカードアプリケーションコード関連情報６３は、アプリケーションＩＤ７１、サービス名称７３、インストールサーバＵＲＬ(Ｕｎｉｆｏｒｍ  Ｒｅｓｏｕｒｃｅ  Ｌｏｃａｔｏｒ)７５、サービス申込み受付電話番号７７、サービス内容説明７９等を有する。
サービス名称７３、インストールサーバＵＲＬ７５、サービス申込み受け付け電話番号７７、サービス内容説明７９等の情報は可読性のあるデータで、携帯電話機３の液晶表示パネル５等に表示する。
【００４１】
アプリケーションＩＤ７１は、インストール可能ＩＣカードアプリケーションコード関連情報６３に対応するインストール可能ＩＣカードアプリケーションコード６１のアプリケーションＩＤで、インストール可能ＩＣカードアプリケーションコード６１毎に一意的なアプリケーションＩＤ７１が割り当てられる。
サービス名称７３は、インストール可能ＩＣカードアプリケーションコード関連情報６３に対応するインストール可能ＩＣカードアプリケーションコード６１に対応したサービスの名称で、例えば、「×××クレジットサービスアプリ」、「×××チケットサービスアプリ」、「×××ポイントサービスアプリ」のようなものである。
【００４２】
インストールサーバＵＲＬ７５は、インストール可能ＩＣカードアプリケーション関連情報６３に対応するインストール可能ＩＣカードアプリケーションコード６１をＩＣカード１１にインストールする処理を実行するインストールサーバ１３のＵＲＬを示す。
インストール可能ＩＣカードアプリケーションコード６１をＩＣカード１１にインストールするには、携帯電話機３はインストールサーバＵＲｌ７５を用いてインストールサーバ１３に接続し、インストールに必要となるインストール用秘密情報５７、インストールサーバ向け情報５９等の情報をインストールサーバ１３に送信する。そして、インストールサーバ１３は携帯電話機３を介してＩＣカード１１を認証し、認証後、インストールコマンドを送信することにより、ＩＣカード１１にインストール可能ＩＣカードアプリケーションコード６１をインストールする。
【００４３】
サービス申込み受付電話番号７７は、インストール可能ＩＣカードアプリケーションコード６１がインストール前に信用照会、会員登録等の手続きを必要とするサービスに対応したものであった場合等に利用可能な、サービスの申し込みや各種問い合わせを行うサービスセンタ等の電話番号である。
【００４４】
サービス内容説明７９は、インストール可能ＩＣカードアプリケーションコード関連情報６３に対応するインストール可能ＩＣカードアプリケーションコード６１に関するサービス内容の説明文である。
【００４５】
選択実行可能ＩＣカードアプリケーション６５は、既にＩＣカード１１にインストールされていて選択実行可能なＩＣカードアプリケーションである。
選択実行可能ＩＣカードアプリケーション関連情報６７は、既にＩＣカード１１にインストールされていて選択実行可能な選択実行可能ＩＣカードアプリケーション６５に関する情報で、携帯電話機３の液晶表示パネル５に表示する。
【００４６】
次に、図７、８、９、１０を参照しながら、本実施形態の動作について説明する。
図７は、ＩＣカード１１発行処理の流れを示す図、図８は、ＩＣカード１１のインストール可能ＩＣカードアプリケーションコード６１に関する情報を閲覧する処理の流れを示す図、図９は、インストール可能ＩＣカードアプリケーションコード６１の一覧表示の一例を示す図、図１０は、ＩＣカード１１のインストール可能ＩＣカードアプリケーションコード６１のインストール処理の流れを示す図である。
【００４７】
図７に示すＩＣカード発行処理の流れは、ＩＣカードを発行する前にＩＣカード発行会社の工場等でＩＣカード発行機９を用いて行う。
ＩＣカード発行機９は、挿入されたＩＣカード１１のメモリ４７にＩＣカードシリアル番号５１、インストール用秘密情報５７を書き込む（ステップ１０１）。
【００４８】
ＩＣカード発行機９は、ＩＣカード１１のメモリ４７にインストール可能ＩＣカードアプリケーションコード６１をロードする（ステップ１０２）。
インストール可能ＩＣカードアプリケーションコード６１のロードは、ＩＣカード発行機９がＩＣカード１１に対してロードコマンドを送信することにより実行される。このロード処理は、ＩＣカード発行会社が管理している秘密情報を利用し、通信の安全性を確保した上で実施する。
ＩＣカード１１のメモリ４７にロードされたインストール可能ＩＣカードアプリケーションコード６１は、このままの状態ではＩＣカード１１で選択実行することはできない。
【００４９】
ＩＣカード発行機９は、ロードしたインストール可能ＩＣカードアプリケーションコード６１に関連付けられたインストール可能ＩＣカードアプリケーションコード関連情報６３及びインストールサーバ向け情報５９をＩＣカード１１のメモリ４７に書き込む（ステップ１０３）。
【００５０】
ＩＣカード所有者が、携帯電話機３を通してＩＣカード１１にロードされているインストール可能ＩＣカードアプリケーションコード６１の情報を閲覧するには、図８に示すように、ＩＣカード所有者が携帯電話機３のキーボタン６等を用いてインストール可能ＩＣカードアプリケーションコード６１の情報の表示要求を入力すると、携帯電話機３の制御部２１は、ＩＣカードインタフェース３３を通してＩＣカード１１にインストール可能ＩＣカードアプリケーションコード関連情報６３の出力を要求する（ステップ１１１）。
【００５１】
ＩＣカード１１のＣＰＵ４１は、携帯電話機３からのインストール可能ＩＣカードアプリケーションコード関連情報６３の出力要求を受信し、メモリ４７に格納しているインストール可能ＩＣカードアプリケーションコード６１に関連付けられたインストール可能ＩＣカードアプリケーションコード関連情報６３と、インストールサーバ１３にて利用されるインストールサーバ向け情報５９等を携帯電話機３に出力する（ステップ１１２）。
【００５２】
携帯電話機３の制御部２１は、ＩＣカード１１から受信したインストール可能ＩＣカードアプリケーションコード関連情報６３を用いて、ＩＣカード１１のメモリ４７に格納されているインストール可能ＩＣカードアプリケーションコード６１のサービス名称の一覧を作成し、図９に示すように、液晶表示パネル５に表示する（ステップ１１３）。
【００５３】
液晶表示パネル５に表示されたインストール可能ＩＣカードアプリケーションコード６１のサービス名称はそれぞれ選択可能な状態となっており、ＩＣカード所有者は必要に応じて、携帯電話機３のキーボタン６を用いて液晶表示パネル５に表示された特定のインストール可能ＩＣカードアプリケーションコード６１のサービス名称を選択する。携帯電話機３の制御部２１は、選択されたインストール可能ＩＣカードアプリケーションコード６１に対応するインストール可能ＩＣカードアプリケーションコード関連情報６３を用いて、そのＩＣカードアプリケーション毎に既定されたインストールサーバＵＲＬ７５、サービス申込み受付電話番号７７、サービス内容説明７９等の情報を液晶表示パネル５に表示する（ステップ１１４）。
【００５４】
ＩＣカード１１にインストール可能ＩＣカードアプリケーションコード６１をインストールする場合、ＩＣカードアプリケーションによってはインストール前に信用照会や会員登録等の手続きが必要となる。その場合、ＩＣカード所有者は携帯電話機３の液晶表示パネル５に表示されるサービス申込み受付電話番号７７を利用してサービスセンタ等のサービス申込み受付窓口に電話をかけ、サービスの申し込みや各種問い合わせをする。
【００５５】
ＩＣカード所有者は、図１０に示す流れに沿ってインストール可能ＩＣカードアプリケーションコード６１のインストールを実行する。ＩＣカード所有者が携帯電話機３の液晶表示パネル５に表示されたインストール可能ＩＣカードアプリケーションコード６１の一覧表示の中からキーボタン６を用いて特定のインストール可能ＩＣカードアプリケーションコード６１のサービス名称選択等を行うと、携帯電話機３の制御部２１は液晶表示パネル５にインストールサーバＵＲＬ７５を表示する。
カード所有者が、キーボタン６を用いて表示されたインストールサーバＵＲＬ７５を選択すると、携帯電話機３はインストールサーバＵＲＬ７５を用いてインストールサーバ１３に接続し、インストールサーバ向け情報５９をインストールサーバ１３に送信する（ステップ１２１）。
【００５６】
インストールサーバ１３は、携帯電話機３から送信されたインストールサーバ向け情報５９を受信する。インストールサーバ１３の制御部８１は、携帯電話機３から受信したインストールサーバ向け情報５９より、認証及びインストールに必要なインストール用秘密情報１６を特定し、データベース１５より必要なインストール用秘密情報１６を取得する。その後、取得したインストール用秘密情報１６を用いてＩＣカード１１の認証処理を行う（ステップ１２２）。
【００５７】
ＩＣカード１１の認証処理完了後、インストールサーバ１３は、携帯電話機３を介してＩＣカード１１にインストールコマンド等を送信し（ステップ１２３）、ＩＣカード１１は指定されたインストール可能ＩＣカードアプリケーションコード６１をインストールする。（ステップ１２４）。
【００５８】
インストール処理完了後、インストールサーバ１３は、インストールの結果ＩＣカード上に生成された選択実行可能ＩＣカードアプリケーション６５に関する情報を、ＩＣカード１１に書き込むためのコマンドを携帯電話機３を介してＩＣカード１１に送信し（ステップ１２５）、ＩＣカード１１は受信したコマンドに従って選択実行可能ＩＣカードアプリケーション関連情報４７をＩＣカード１１のメモリ４７内に格納する（ステップ１２６）。
【００５９】
以上、説明したように本実施によれば、ＩＣカードにロードされているＩＣカードアプリケーションコードに関する情報を格納、出力するＩＣカード等を提供できる。
【００６０】
ＩＣカードのメモリに格納されたインストール可能ＩＣカードアプリケーションコード関連情報は可読性があるため、携帯電話機のような携帯端末上に表示することができる。そのため、ＩＣカード所有者は携帯端末を操作することにより、ＩＣカード発行会社が配布している取り扱い説明書を見たり、ＩＣカード発行会社が運用しているＷｅｂサイトあるいはＩＣカード発行者が運用するカスタマーセンタ等を介することなく、所有しているＩＣカードのメモリにロードされているが選択実行することができないインストール可能なＩＣカードアプリケーションコードに関する情報を閲覧することができる。
【００６１】
また、ＩＣカード所有者は、ＩＣカードのメモリに格納されているロードされているが選択実行することができないインストール可能なＩＣカードアプリケーションコードに関する情報を用いて、希望するＩＣカードアプリケーションをＩＣカードにインストールしたり、サービス申込み受付窓口に電話をしてサービスの申し込みや各種問い合わせをすることができる。
【００６２】
更に、ＩＣカード発行会社は発行したＩＣカードにロードされているが選択実行することができないインストール可能なＩＣカードアプリケーションコードに関する情報等を管理するためのＩＣカード管理システム等を運用する必要がなくなる。
【００６３】
以上、添付図面を参照しながら本発明に係るＩＣカードの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００６４】
【図１】インストールシステムＡの構成概略を示す図
【図２】携帯電話機３のハードウエア構成図
【図３】インストールサーバ１３のハードウエア構成図
【図４】ＩＣカード１１のハードウエア構成図
【図５】ＩＣカード１１のメモリ４７の詳細を示す図
【図６】メモリ４７内のインストール可能ＩＣカードアプリケーションコード関連情報６３の一例を示す図
【図７】ＩＣカード１１発行処理の流れを示す図
【図８】ＩＣカード１１のインストール可能ＩＣカードアプリケーションコード６１に関する情報を閲覧する処理の流れを示す図
【図９】インストール可能ＩＣカードアプリケーションコード６１の一覧表示の一例を示す図
【図１０】ＩＣカード１１のインストール可能ＩＣカードアプリケーションコード６１のインストール処理の流れを示す図
【符号の説明】
【００６５】
Ａ………インストールシステム
３………携帯電話機
４………アンテナ
５………液晶表示パネル
６………キーボタン
９………ＩＣカード発行機
１１………ＩＣカード
１３………インストールサーバ
１５………データベース
１６………インストール用秘密情報
１９………ネットワーク
２１………制御部
２３………無線通信部
２５………表示部
２７………入力部
２９………通話処理部
３１………メモリ
３３………ＩＣカードインタフェース
４１………ＣＰＵ
４３………ＲＯＭ
４５………ＲＡＭ
４７………メモリ
５１………ＩＣカードシリアル番号
５３………加入者識別情報
５７………インストール用秘密情報
５９………インストールサーバ向け情報
６１………インストール可能ＩＣカードアプリケーションコード
６３………インストール可能ＩＣカードアプリケーションコード関連情報
６５………選択実行可能ＩＣカードアプリケーション
６７………選択実行可能ＩＣカードアプリケーション関連情報
７１………アプリケーションＩＤ
７３………サービス名称
７５………インストールサーバＵＲＬ
７７………サービス申込み受付電話番号
７９………サービス内容説明
８１………制御部
８３………入力部
８５………表示部
８７………印刷部
８９………記憶装置
９１………メディア出力部
９３………通信制御部
【図１】
2007206893.tif 000003
【図２】
2007206893.tif 000004
【図３】
2007206893.tif 000005
【図４】
2007206893.tif 000006
【図５】
2007206893.tif 000007
【図６】
2007206893.tif 000008
【図７】
2007206893.tif 000009
【図８】
2007206893.tif 000010
【図９】
2007206893.tif 000011
【図１０】
2007206893.tif 000012